(57)【特許請求の範囲】
【請求項１】
絞り羽根環に複数の絞り羽根を回動自在に枢支させることによって、該絞り羽根が協働して絞り開口を形成するようにされた絞り装置において、
上記絞り羽根は、最小絞り状態においても絞り羽根が３枚以上重ならない形状に形成されると共に、絞り開口の形成に関与する内縁部を、回動中心に近い根本内縁部、回動中心から遠い先端内縁部、上記根本内縁部と先端内縁部との間の中間内縁部とによって構成し、
上記根本内縁部は、開放状態と該開放状態から僅かに絞り込んだ状態との間で絞り開口を疑似円形とする形状とされると共に、中間内縁部とは該絞り開口の中心から見て該内縁部の外側に中心が位置する円弧形状によって繋がれ、
上記先端内縁部は、絞り開口を形成する絞り羽根同士の繋ぎ目で凹部ができないように、かつ、絞り羽根が３枚以上重ならないように、該絞り開口の中心から見て該内縁部の外側に中心が位置する円弧形状によって形成され、
上記中間内縁部は開放状態より僅かに絞り込んだ状態における絞り開口の半径を有する円弧形状によって形成され、
絞り開口を開放状態から僅かに絞り込んだ状態においては、開口形状が上記中間内縁部によって真円形状に形成されるようにした
ことを特徴とする絞り装置。
【請求項２】
根本内縁部は、開放状態と該開放状態から僅かに絞り込んだ状態との間で絞り開口が疑似円形になるように、直線、該絞り開口の中心から見て該内縁部の内側に中心が位置する円弧形状及び該絞り開口の中心から見て該内縁部の外側に中心が位置する円弧形状とによって構成されている
ことを特徴とする請求項１に記載の絞り装置。
【発明の詳細な説明】
【０００１】
【発明が属する技術分野】
本発明は、カメラ等の撮像装置のレンズに組み込まれる絞り装置に関するものである。
【０００２】
【従来の技術】
カメラ等の撮像装置に組み込まれる絞り装置は、絞り開口部に光軸を中心として複数個配置された絞り羽根により上記開口部の周囲を覆って、開口部を通過する光量を制限するようにしたものである。即ち、複数の絞り羽根を協動させて枢動回転させることにより絞り開口が形成されて開口部を通過する光量が制限されることになる。
【０００３】
ところで、絞り装置においては、上記絞り羽根の内縁部が協働して形成した開口形状は、真円に近いことが望ましい。
【０００４】
図１３は、従来の絞り装置にの一例おける絞り羽根ａの形状を示すものである。即ち、絞り羽根ａは、絞り開口の形成に寄与する内縁部ｂのうち、開放絞り状態において絞り開口を形成する根本内縁部ｃが、開放絞り状態における開口形状を真円とするための半径Ｒ０の円の一部である円弧とされたものであった。更に、上記絞り羽根ａは、中間絞り状態において絞り開口を形成する先端内縁部ｄが、上記根本内縁部ｃの接線に沿った直線とされたものであった。
【０００５】
また、特開平２−１５６２３３２号公報に記載された絞り装置における絞り羽根の別の例ｅは、図１４に示すように、中間絞り状態から最小絞り状態に至るまでの絞り開口を形成する先端内縁部ｆの形状を細分化して、それぞれの絞り開口に最も関与する部分の形状をその絞り開口に沿った円弧及び該円弧の接線に沿った直線によって形成したものである。尚、根本内縁部ｇの形状は、上記絞り羽根ａの根本内縁部ｃの形状と同じ形状である。
【０００６】
しかしながら、上記従来の絞り羽根ａを用いた絞り装置においては、開放絞り状態においては、各絞り羽根ａの根本内縁部が絞り開口と同一円周上に位置することから真円の絞り開口を形成するこができるが、絞り込むに従って絞り開口の真円度は低下してしまう。
【０００７】
即ち、開放絞り状態から絞り値で一段絞り込むまでの間は、絞り開口形状は円弧状の根本内縁部ｃを一片とする、稍膨らみのある多角形に近い形状となる。そして、更に絞り込むと、絞り開口形状は、根本内縁部ｃの接線である絞り羽根ａの先端内縁部ｄを一片とする多角形となってしまう。
【０００８】
また、上記絞り羽根ｅを用いた絞り装置の別の例においては、開放絞り状態においては、各絞り羽根ｅの根本内縁部ｇが絞り開口と同一円周上に位置することから、真円の絞り開口を形成するこができるが、絞り込むに従って絞り開口の真円度は低下してしまう。
【０００９】
即ち、開放絞り状態から絞り値で一段以上絞り込んだ場合には、前述のように先端内縁部ｆの形状が複数の円弧及び直線によって形成されているので、絞り羽根ａを用いた絞り装置の場合よりも、絞り開口形状が真円形により近くなっている。
【００１０】
しかし、一段以上絞り込んだ時も絞り開口形状を円形に近づけるために、絞り込んで行くに従い次第に小さくなっていく絞り開口の半径に合わせて、先端内縁部ｆの形状が著しく凹形状になっているため、僅かに絞られた開放に近い状態から一段絞り込むまでの間では、絞り開口形状は前記絞り羽根ａの場合よりも鋭角的な多角形状となっていた。
【００１１】
ところで、ズームレンズの場合、焦点距離によって絞り開口の開口径を変化させることによって、最小ｆ値を規制する場合がある。この絞りによる最小ｆ値の規制は、一段絞り以内の場合が多い。
【００１２】
従って、上記絞り羽根ａ又はｅを用いた絞り装置の場合、上述のように、最小ｆ値の場合でも絞り開口形状が真円形に成らず、撮影画像に不自然なボケを生じることがあるという問題があった。
【００１３】
一般的に、絞り開口を真円形に近づけるためには絞り羽根の枚数を増やすことが有効であるが、これはコストアップにつながってしまう。
【００１４】
また、最小絞り状態においても、絞り羽根同士の重なりを３枚以上とすることは、作動時における絞り羽根同士の摺接に起因する、絞り羽根の損傷や摩耗等が発生し易くなるという問題があった。
【００１５】
【発明が解決しようとする課題】
本発明は、上記問題点に鑑み、絞り羽根の枚数を可能な限り少なくし、最小絞り状態においても３枚以上の絞り羽根が重ならないようにすると共に、ズームレンズでの使用における絞りによる最小ｆ値の規制が働く一段絞り以内で、真円形の絞り開口形状を有する絞り装置を提供することを課題とする。
【００１６】
【課題を解決するための手段】
上記課題を解決するために、本発明絞り装置は、絞り羽根を、最小絞り状態においても絞り羽根が３枚以上重ならない形状に形成すると共に、絞り開口の形成に関与する内縁部を、回動中心に近い根本内縁部、回動中心から遠い先端内縁部、根本内縁部と先端内縁部との間の中間内縁部とによって構成し、根本内縁部を、開放状態と該開放状態から僅かに絞り込んだ状態との間で絞り開口を疑似円形とする形状とすると共に、中間内縁部とは該絞り開口の中心から見て該内縁部の外側に中心が位置する円弧形状によって繋ぎ、先端内縁部を、絞り開口を形成する絞り羽根同士の繋ぎ目で凹部ができないように、かつ、絞り羽根が３枚以上重ならないように、該絞り開口の中心から見て該内縁部の外側に中心が位置する円弧形状によって形成し、中間内縁部を開放状態より僅かに絞り込んだ状態における絞り開口の半径を有する円弧形状によって形成し、絞り開口を開放状態から僅かに絞り込んだ状態においては、開口形状が中間内縁部によって真円形状に形成されるようにしたものである。
【００１７】
従って、開放状態及び開放状態から僅かに絞り込んだ状態との間で、絞り開口を円形に近づけることが可能になる。
【００１８】
【発明の実施の形態】
以下に本発明絞り装置の実施の形態について、添付図面を参照して説明する。
【００１９】
最初に本発明の概要を説明する。
【００２０】
本発明絞り装置は、絞り羽根の枚数を少なくすると共に、３枚以上の絞り羽根が重ならないようにし、且つ、ズームレンズでの使用における絞りによる最小ｆ値の規制が働く一段絞り以内で、真円形の絞り開口形状を有するようにしたものである。
【００２１】
即ち、本発明絞り装置は、絞り羽根環に複数の絞り羽根を回動自在に枢支さすることによって、該絞り羽根が協働して絞り開口径を変更することができるように構成されたものであり、上記絞り羽根の絞り開口の形成に関与する内縁部を、それぞれ異なった形状を有する３つの領域に分けて構成したものである。
【００２２】
そして、上記３つの領域は、絞り羽根の回動中心から近い部分（根本内縁部）とその隣の中間領域（中間内縁部）とは、上記内縁部の外側に中心が位置する円の一部である円弧形状によって繋がれ、上記回動中心から最も遠い領域（先端内縁部）は、上記内縁部の外側に中心が位置する円の一部である円弧形状によって構成され、これらの中間領域は、開放状態より僅かに絞り込んだ状態における絞り開口の半径を有する円の一部の円弧形状によって構成されている。
【００２３】
また、絞り羽根の回動中心から近い部分は、開放状態と該開放状態から僅かに絞り込んだ状態との間で絞り開口が疑似円形になるように、直線、内縁部の内側に中心が位置する円弧形状及び内縁部の外側に中心が位置する円弧形状とによって構成することが望ましい。
【００２４】
次に、本発明を具体的に説明する。
【００２５】
絞り装置１は、図１に示すように、薄板から成る５枚の絞り羽根２、２、…を光軸ｘの周りに、絞り羽根環３に回動自在な状態で枢支したものであり、該絞り羽根環３は、上記絞り羽根２、２、…を回転させるためのカム溝３ａ、３ａ、…を有する図示しない絞り羽根操作環及び固定環４から成る。
【００２６】
各絞り羽根２には、図２に示すように、回転中心となるピン２ａ及び上記各カム溝３ａに挿入される摺動ピン２ｂが設けられ、該ピン２ａによって各絞り羽根２は、上記絞り羽根環及び固定環４に挟まれた状態で絞り羽根環３に回動自在に保持されている。
【００２７】
従って、図示しないレンズ筐体に取り付けられた絞り環が絞り設定のため回転されると、絞り羽根操作環が光軸を回転中心として回転し、各カム溝３ａが移動し摺動ピン２ｂを押圧することにより、各絞り羽根２がそれぞれピン２ａを回転中心として所定量回転して、絞り開口が任意の開口径に設定されるようになっている。
【００２８】
次に、各絞り羽根２の形状について説明する。各絞り羽根２の内縁部５の各部の具体的な形状は、以下に示すとおりである。尚、図３乃至図８はそれぞれ、開放状態（Ｆ２）、一段絞り状態（Ｆ２．８）、２段絞り状態（Ｆ４）、３段絞り状態（Ｆ５．６）、４段絞り状態（Ｆ８）及び５段絞り（最小絞り）状態（Ｆ１１）の時の絞り開口６及び各絞り羽根２の状態（位置）を示すものである。
【００２９】
各絞り羽根２は、図２に示すように、絞り開口を形成する部分、即ち内縁部５は、３つの部分５ａ、５ｂ及び５ｃによって構成され、回動中心であるピン２ａに近い部分である根本内縁部５ａ、回動中心であるピン２ａからもっとも遠い部分である先端内縁部５ｂ、及び、上記領域５ａと５ｂとの中間部分である中間内縁部５ｃによって構成される。
【００３０】
根本内縁部５ａは、図２に示すように、中間内縁部５ｃと、光軸ｘを基準として絞り開口形成用内縁部５の外側に中心が位置する円Ｃ１の一部である円弧によって繋がれ、開放状態から僅かに絞り込んだ絞り状態から開放状態との間で絞り開口径状を疑似円形とする形状とされている。更に詳しくは、根本内縁部５ａは、図２に示すように、直線、光軸ｘを基準として、内縁部５の内側に中心が位置する円Ｃ２の一部である円弧形状及び内縁部の外側に中心が位置する円Ｃ３の一部である円弧形状とによって構成されている。
【００３１】
また、中間内縁部５ｃは、図２及び図８に示すように、開放状態から僅かに絞り込んだ一の絞り状態における理想的な円形の絞り開口の半径Ｒ１を有する円Ｃ４を、光軸ｘを基準として内縁部５の内側に配置した場合の円弧形状によって形成されている。
【００３２】
更に、先端内縁部５ｂは、図２に示すように、絞り開口を形成する絞り羽根２同士の繋ぎ目で凹部ができないように、且つ、絞り羽根２が３枚以上重ならないように絞り開口形成用内縁部５の外側に中心が位置する円Ｃ５の一部である円弧によって形成されている。尚、円Ｃ５の半径Ｒ２は、上記中間内縁部５ｃを形成する円弧の半径Ｒ１の約１．３倍の長さとされている。
【００３３】
ところで、最小絞り状態において絞り開口を形成する先端内縁部５ｂを、図１３及び図１４に示す従来例のように長くするとと共に絞り羽根の使用枚数を多くすると絞り開口を真円形に近づけることが容易となるが、絞り装置１においては、多数の絞り羽根を使用することによって生じる、作動時における絞り羽根同士の摺接に起因する絞り羽根の損傷や摩耗といった問題を防ぐためとに、絞り羽根の枚数を少なくすると共に、先端内縁部５ｂを短くして絞り羽根同士の重なりあいを２枚以内にし、これと相反する絞り開口の真円度の問題を先端内縁部５ｂの形状を上記のように工夫することによって解決したものである。
【００３４】
而して、絞り装置１における各絞り位置における絞り開口は５枚の絞り羽根２、２、…の内縁部５によって、以下に示すように構成される。
【００３５】
即ち、図３に示す開放状態においては、絞り開口６は絞り羽根環３の開口によって構成され、開放状態より僅かに絞られた状態においては、各絞り羽根２の根本内縁部５ａによって協動して画成され（図１１及び図１２参照）、図４乃至図７に示す１段絞り状態から更に絞り込まれた状態（４段絞り状態）においては、絞り開口は各絞り羽根２の中間内縁部５ｃと先端内縁部５ｂとによって協動して画成され。最小絞り状態においては、図８に示すように、絞り開口６は、各絞り羽根２の中間内縁部５ｃと先端内縁部５ｂとによって協働して画成される。
【００３６】
また、本発明絞り装置１は、ズームレンズに適用した時、焦点距離により開口径を変化させることにより所謂最小ｆ値を規制する場合においても、図９に示すように、僅かに絞られた開放に近い状態から１段絞りの状態迄の間は、望遠端における絞り開口６は、中間内縁部５ｃによって半径Ｒ１の真円に形成される。尚、図１０乃至図１２は、図９に示す真円に形成された状態から開放状態迄の間の絞り開口の状態をそれぞれ示すものである。
【００３７】
以上の様に、本発明絞り装置１は、絞り開口を形成する内縁部５の形状に工夫を施すことによって、図３乃至図８に示すように、５枚構成の従来よりも少ない絞り羽根２、２、…で、各絞り状態において絞り開口６を真円形に近い状態とすることを可能とし、コスト面でも有利としたものである。
【００３８】
また、ズームレンズにおける最小ｆ値の規制に係わる場合でも、円弧形状で形成された絞り羽根２の内縁部５によって真円形に絞り開口が形成されるので、撮影画像に不自然なボケが発生することを防止することが可能になる。
【００３９】
更に、最小絞り状態においても、絞り羽根２が３枚以上重なり合うことがないので、従来の絞り装置で問題となっていた作動時における絞り羽根同士の摺接に起因する絞り羽根の損傷や摩耗が起き易いという問題を解決することが可能である。
【００４０】
尚、前記実施の形態において示した各部の具体的な形状及び構造は、何れも本発明を実施するに当たっての具体化のほんの一例を示したものに過ぎず、これらによって本発明の技術的範囲が限定的に解釈されることがあってはならないものである。
【００４１】
【発明の効果】
以上に説明したように本発明は、絞り羽根環に複数の絞り羽根を回動自在に枢支させることによって、該絞り羽根が協働して絞り開口を形成するようにされた絞り装置において、絞り羽根を最小絞り状態においても絞り羽根が３枚以上重ならない形状に形成すると共に絞り開口の形成に関与する内縁部を回動中心に近い根本内縁部、回動中心から遠い先端内縁部、上記根本内縁部と先端内縁部との間の中間内縁部とによって構成し、根本内縁部を開放状態と該開放状態から僅かに絞り込んだ状態との間で絞り開口を疑似円形とする形状とすると共に中間内縁部とは該絞り開口の中心から見て該内縁部の外側に中心が位置する円弧形状によって繋ぎ、先端内縁部を、絞り開口を形成する絞り羽根同士の繋ぎ目で凹部ができないように、かつ、絞り羽根が３枚以上重ならないように、該絞り開口の中心から見て内縁部の外側に中心が位置する円弧形状によって形成し、中間内縁部を開放状態より僅かに絞り込んだ状態における絞り開口の半径を有する円弧形状によって形成し、絞り開口を開放状態から僅かに絞り込んだ状態において開口形状が中間内縁部によって真円形状に形成されるようにしたので、絞り開口を様々な状態において常に円形に近づけることができ、また、ズームレンズに使用した場合においても、最小ｆ値が規制された場合でも、絞り開口が疑似円形となるので不自然なボケを生じることがない。
【００４２】
請求項２に記載した発明にあっては、根本内縁部を、開放状態と該開放状態から僅かに絞り込んだ状態との間で絞り開口が疑似円形になるように、直線、該絞り開口の中心から見て該内縁部の内側に中心が位置する円弧形状及び該絞り開口の中心から見て該内縁部の外側に中心が位置する円弧形状とによって構成したので、絞り開口形状をより円形に近づけることができる。
【図面の簡単な説明】
【図１】図２乃至図８と共に本発明絞り装置の実施の形態を示すものであり、本図は絞り装置の構成を概略的に示す平面図である。
【図２】絞り羽根の形状を示す拡大平面図である。
【図３】開放状態における作動状態を示す平面図である。
【図４】１段絞り状態における作動状態を示す平面図である。
【図５】２段絞り状態における作動状態を示す平面図である。
【図６】３段絞り状態における作動状態を示す平面図である。
【図７】４段絞り状態における作動状態を示す平面図である。
【図８】５段絞り（最小絞り）状態における作動状態を示す平面図である。
【図９】本発明絞り装置をズームレンズに使用した時に望遠端で最小ｆ値の規制によって開放状態から僅かに絞り込んだ状態となった時の作動状態を示す平面図である。
【図１０】図１１及び図１２と共に、ズーミングに伴って最小ｆ値の規制量が変わる時において、図９に示す状態から開放状態に至る時の作動状態を順を追って示すものであり、本図は図９の状態から僅かに開放よりの状態に移行した時の作動状態を示す平面図である。
【図１１】図１０の状態から僅かに開放よりの状態に移行した時の作動状態を示す平面図である。
【図１２】広角端での開放状態の作動状態を示す平面図である。
【図１３】従来の絞り装置における絞り羽根の形状の一例を示す平面図である。
【図１４】従来の絞り装置における絞り羽根の形状の別の例を示す平面図である。
【符号の説明】
１…絞り装置、２…絞り羽根、３…絞り羽根環、５…内縁部、５ａ…根本内縁部、５ｂ…先端内縁部、５ｃ…中間内縁部、６…絞り開口
【図１】
0004761097.tif 000002
【図２】
0004761097.tif 000003
【図３】
0004761097.tif 000004
【図４】
0004761097.tif 000005
【図５】
0004761097.tif 000006
【図６】
0004761097.tif 000007
【図７】
0004761097.tif 000008
【図８】
0004761097.tif 000009
【図９】
0004761097.tif 000010
【図１０】
0004761097.tif 000011
【図１１】
0004761097.tif 000012
【図１２】
0004761097.tif 000013
【図１３】
0004761097.tif 000014
【図１４】
0004761097.tif 000015